(57)【要約】【課題】光源の交換作業を極めて簡便に行うことが可能なエレベータのかご内照明装置を提供する。【解決手段】乗りかごの側板１ａに対して乗りかごの外側から設置された照明ボックス本体１１と、照明ボックス本体１１と乗りかご内部との間に配置された照光板１２と、照明ボックス本体１１に対して回動可能に取り付けられ、照明ボックス本体１１の開口部１１ａを開閉する蓋体１３と、蓋体１３の内面側に取り付けられ、照光板１２を介して乗りかご１の内部を照明する蛍光管照明器具１４とを備える。蛍光管照明器具１４は、蓋体１３が照明ボックス本体１１の開口部１１ａを開放する方向に回動されることで、照明ボックス本体１１の外部に引き出し可能とされる。【選択図】図２
2010064891.tif 000002
【特許請求の範囲】
【請求項１】
エレベータの乗りかご側壁に対して乗りかご外側から設置された照明ボックス本体と、
前記照明ボックス本体と乗りかご内部との間に配置され、前記乗りかご側壁の一部をなす照光板と、
前記照明ボックス本体に対して回動可能に取り付けられ、照明ボックス本体の開口部を開閉する蓋体と、
前記蓋体の内面側に取り付けられ、前記照光板を介して乗りかご内部を照明する光源とを備え、
前記蓋体を前記照明ボックス本体の開口部を開放する方向に回動することで、前記光源が前記照明ボックス本体の外部に引き出し可能とされていることを特徴とするエレベータのかご内照明装置。
【請求項２】
前記光源は、前記蓋体の内面側に設けられたスライドレールに装着され、前記蓋体を前記照明ボックス本体の開口部を開放する方向に回動した状態で、前記光源を前記スライドレールに沿ってスライドさせることで、当該光源が前記照明ボックス本体の外部に引き出されることを特徴とする請求項１に記載のエレベータのかご内照明装置。
【請求項３】
前記蓋体は、前記照明ボックス本体に対して回動可能に取り付けられた第１の部材と、当該第１の部材に対して回動可能に取り付けられた第２の部材とを有し、
前記光源は、前記蓋体の第２の部材の内面側に取り付けられていることを特徴とする請求項１又は２に記載のエレベータのかご内照明装置。
【請求項４】
前記蓋体は、前記照明ボックス本体に対して水平方向に回動可能に取り付けられていることを特徴とする請求項１乃至３の何れか一項に記載のエレベータのかご内照明装置。
【請求項５】
前記蓋体は、前記照明ボックス本体に対して垂直方向に回動可能に取り付けられていることを特徴とする請求項１乃至３の何れか一項に記載のエレベータのかご内照明装置。
【発明の詳細な説明】
【技術分野】
【０００１】
本発明は、エレベータの乗りかご内部を照明するかご内照明装置に関する。
【背景技術】
【０００２】
エレベータの乗りかごは、通常、天板に取り付けられた照明装置でその内部を照明している。近年では、乗りかご内部の美観向上などの観点から、乗りかごの側壁に照明装置を取り付けて、乗りかごの側壁から内部を照明することも行われている（例えば、特許文献１参照。）。この種のかご内照明装置としては、乗りかご側壁に蛍光ランプなどの光源を内蔵する照明ボックスを設置し、照明ボックス内部の光源の光を照光板を介して乗りかご内部に導いて乗りかご内部を照明する構造のものが一般的である。
【特許文献１】特開２００４−２０３６１１号公報
【発明の開示】
【発明が解決しようとする課題】
【０００３】
しかしながら、乗りかごの側壁に取り付けられる従来のかご内照明装置では、照明ボックス内部の光源を交換する必要が生じたときに、照明ボックス自体を乗りかご側壁から取り外して光源の交換を行う必要があり、作業が煩雑になるという問題があった。特に、乗りかごの外側から側壁に照明ボックスが設置されている場合には、このような作業を昇降路側から行う必要があり、作業スペースが狭く、また足場も不安定なことから、光源の交換作業が極めて困難になるという問題があった。
【０００４】
本発明は、以上のような従来技術の問題点を解消すべく創案されたものであって、光源の交換作業を極めて簡便に行うことが可能なエレベータのかご内照明装置を提供することを目的としている。
【課題を解決するための手段】
【０００５】
本発明に係るエレベータのかご内照明装置は、エレベータの乗りかご側壁に対して乗りかご外側から設置された照明ボックス本体と、この照明ボックス本体と乗りかご内部との間に配置され、乗りかご側壁の一部をなす照光板と、照明ボックス本体に対して回動可能に取り付けられ、照明ボックス本体の開口部を開閉する蓋体と、この蓋体の内面側に取り付けられ、照光板を介して乗りかご内部を照明する光源とを備えて構成され、蓋体を照明ボックス本体の開口部を開放する方向に回動することで、光源が照明ボックス本体の外部に引き出し可能とされている。
【発明の効果】
【０００６】
本発明に係るエレベータのかご内照明装置によれば、蓋体を回動することで光源が照明ボックス本体の外部に引き出し可能とされているので、例えば、乗りかごの天井上から蓋体を回動して光源を照明ボックス本体の外部に引き出し、新しい光源に交換することができ、光源の交換作業を極めて簡便に行うことができる。
【発明を実施するための最良の形態】
【０００７】
以下、本発明の具体的な実施形態について、図面を参照しながら詳細に説明する。
【０００８】
図１は、エレベータの昇降路Ｓ内部を鉛直方向に透視して見た様子を示す模式図である。この図１に示すエレベータは、乗りかご１とつり合い重り２とを主索により連結して駆動綱車を支点につるべ式に架け渡し、モータで駆動綱車を回転させたときの摩擦力で主索を送り動作することで、乗りかご１をつり合い重り２とバランスさせながらガイドレール３に沿って昇降路Ｓ内を昇降させる構造である。乗りかご１の出入口にはかご扉装置４、各階の乗場には乗場扉装置５がそれぞれ設けられており、乗りかご１が各階に着床したときにかご扉装置４と乗場扉装置５が連動して開放されることで、乗りかご１への乗客の乗り降りが可能とされている。
【０００９】
本実施形態のかご内照明装置１０は、昇降路Ｓ内を昇降する乗りかご１の内部を照明するものであり、例えば図１に示すように、乗りかご１の四隅に乗りかご１の外側からそれぞれ取り付けられている。このかご内照明装置１０は、例えば、乗りかご１の高さ寸法と略等しい長さを有する細型の蛍光管照明器具を光源として備えており、乗りかご１の内部をその四隅から高さ方向の全域に亘り均一に照明する構成とされている。
【００１０】
図２は、図１におけるＡ部を拡大して示す図であり、本実施形態のかご内照明装置１０の内部を鉛直方向に透視して見た様子を示す模式図である。
【００１１】
かご内照明装置１０は、図２に示すように、乗りかご１の側壁の主要部をなす側板１ａに対して乗りかご１の外側から設置された照明ボックス本体１１と、照明ボックス本体１１と乗りかご１内部との間に配置され、乗りかご１の側壁の一部をなす照光板１２と、照明ボックス本体１１に対して回動可能に取り付けられた蓋体１３と、蓋体１３の内面側（照明ボックス本体１１の内部に対向する側）に取り付けられ、照光板１２を介して乗りかご１の内部を照明する蛍光管照明器具（光源）１４とを備えている。
【００１２】
照明ボックス本体１１は、内部に蛍光管照明器具１４を収納可能な大きさの空間を有する細長のボックス状に形成されている。照明ボックス本体１１の側面部には開口部１１ａが設けられており、この開口部１１ａが蓋体１３により開閉される構造となっている。
【００１３】
照光板１２は、光透過性を有するアクリル樹脂などの板材よりなり、乗りかご１の四隅の側板１ａ間の隙間を閉塞するように設置され、側板１ａとともに乗りかご１の側壁を構成している。この照光板１２は、乗りかご１の四隅を外側から囲うように設置された照明ボックス１１の内部の空間と乗りかご１内部の空間との間に配置され、照明ボックス１１内部で蛍光管照明器具１４が点灯すると、その蛍光管照明器具１４からの光を乗りかご１内部に透過する。
【００１４】
蓋体１３は、第１の部材１３ａと第２の部材１３ｂとの２つの部材で構成され、第１の部材１３ａが蝶番１５によって照明ボックス本体１１に対して水平方向に回動可能に取り付けられ、第２の部材１３ｂが蝶番１６によって第１の部材１３ａに対して水平方向に回動可能に取り付けられている。この蓋体１３は、第１の部材１３ａおよび第２の部材１３ｂを回動させることにより、図２（ａ）に示すように照明ボックス本体１１の開口部１１ａを閉塞する状態と、図２（ｂ）に示すように照明ボックス本体１１の開口部１１ａを開放する状態との間で変位し、照明ボックス本体１１の開口部１１ａを開閉する。ここで、蓋体１３は、照明ボックス本体１１の開口部１１ａを開放する際に第１の部材１３ａと第２の部材１３ｂとが互いに逆向きに回動する構造となっており、これにより、昇降路Ｓ内のスペースが比較的狭い場合でも、蓋体１３を昇降路Ｓの壁部に干渉させることなく照明ボックス本体１１の開口部１１ａを開放できるようにしている。
【００１５】
蛍光管照明器具１４は、本実施形態のかご内照明装置１０の光源となるものであり、蓋体１３の第２の部材１３ｂの内面側に取り付けられている。この蛍光管照明器具１４は、詳細を図３に示すように、器具本体１４ａに蛍光管１４ｂが保持された構成とされ、器具本体１４ａの裏面側には取り付け金具１７が固着されている。また、蓋体１３の第２の部材１３ｂの内面側にはＬ字型の取り付けブラケット１８が固着され、この取り付けブラケット１８にスライドレール１９が設けられている。そして、蛍光管照明器具１４は、器具本体１４ａに固着された取り付け金具１７を取り付けブラケット１８に設けられたスライドレール１９に装着することによって、蓋体１３の第２の部材１３ｂの内面側にスライド可能に取り付けられている。
【００１６】
以上のように構成される本実施形態のかご内照明装置１０は、蓋体１３で照明ボックス本体１１の開口部１１ａを閉塞した状態とすることで、光源となる蛍光管照明器具１４が照明ボックス本体１１の内部に収納される。この状態で、蛍光管照明器具１４が点灯すると、蛍光管照明器具１４からの光が照光板１２を介して乗りかご１内部に導かれ、乗りかご１内部が照明される。また、蓋体１３を回動操作して照明ボックス本体１１の開口部１１ａを開放した状態とすると、光源となる蛍光管照明器具１４が照明ボックス本体１１の外部に引き出し可能となり、例えば、乗りかご１の天井上から蛍光管照明器具１４をスライドレール１９に沿って引き上げる方向にスライドさせることで、蛍光管照明器具１４を照明ボックス本体１１の外部に引き出して交換作業を行うことができる。
【００１７】
なお、照明ボックス本体１１の開口部１１ａを蓋体１３で閉塞した状態では、図４に示すように、その上端側に上蓋２０が取り付けられ、この上蓋２０の上面側から、ネジ部材２１が上蓋２０を介して蛍光管照明器具１４の上端に螺合される。これにより、照明ボックス本体１１内部における蛍光管照明器具１４の位置が固定され、蓋体１３の不用意な回動が規制される。なお、図４は、かご内照明装置１０の上端側を図２（ａ）中の矢印Ｂ方向から見た側面図である。
【００１８】
また、蛍光管照明器具１４の取り付け金具１７は、照明ボックス本体１１の開口部１１ａの縦方向（鉛直方向）における長さよりも若干長目に形成されており、取り付け金具１７がスライドレール１９に沿って所定位置まで装着された状態では、取り付け金具１７の下端部が照明ボックス本体１１の開口部１１ａ端縁に干渉して、蓋体１３の回動が規制される。
【００１９】
次に、以上のように構成される本実施形態のかご内照明装置１０において、光源となる蛍光管照明器具１４を交換する際の作業手順について、図５を参照して説明する。なお、図５は、蛍光管照明器具１４を交換する作業が行われているときのかご内照明装置１０内部の様子を側面側から透視して示す模式図である。
【００２０】
光源となる蛍光管照明器具１４を交換する際、作業者は、乗りかご１の天井上で作業を行い、まず、図５（ａ）に示すように、乗りかご１の天井上から照明ボックス本体１１の上端側のネジ部材２１および上蓋２０を取り外し、蛍光管照明器具１４を電源部に接続しているコネクタ２２を外す。
【００２１】
次に、図５（ｂ）に示すように、ネジ部材２１および上蓋２０を取り外したことでスライド可能となった蛍光管照明器具１４を、取り付け金具１７の下端部が照明ボックス本体１１の開口部１１ａ端縁に干渉しない位置にまで、スライドレール１９に沿って上側に少しスライドさせる。そして、この状態で、蓋体１３を照明ボックス本体１１の開口部１１ａを開放する方向に回動させて、蛍光管照明器具１４を照明ボックス本体１１の外部に引き出し可能な状態にする。
【００２２】
次に、図５（ｃ）に示すように、蛍光管照明器具１４を乗りかご１の天井上から引き上げるようにしてスライドレール１９に沿って上側にスライドさせ、蓋体１３から取り外す。その後、新しい蛍光管照明器具１４を準備して、この新しい蛍光管照明器具１４を上記と逆の手順でスライドレール１９に装着するとともに、照明ボックス本体１１の開口部１１ａを蓋体１３で閉塞し、新しい蛍光管照明器具１４を照明ボックス本体１１の内部に収納する。そして、コネクタ２２を接続し、上蓋２０を取り付けてネジ部材２１で蛍光管照明器具１４を固定して、元の状態に復帰する。
【００２３】
以上、具体的な例を挙げながら詳細に説明したように、本実施形態のかご内照明装置１０によれば、蓋体１３を回動することで光源となる蛍光管照明器具１４を照明ボックス本体１１の外部に引き出すことが可能となり、足場の安定した乗りかご１の天井上からの作業で蛍光管照明器具１４の交換を行うことができるので、蛍光管照明器具１４の交換作業を極めて簡便に行うことができる。
【００２４】
また、本実施形態のかご内照明装置１０によれば、光源となる蛍光管照明器具１４をスライドレール１９に沿ってスライドさせることで照明ボックス本体１１の外部に引き出す構造となっているので、特殊な工具を用いて蛍光管照明器具１４の交換を行う必要がなく、蛍光管照明器具１４の交換作業を極めて簡便に行うことができる。
【００２５】
また、本実施形態のかご内照明装置１０によれば、蓋体１３が第１の部材１３ａと第２の部材１３ｂとの２つの部材で構成され、照明ボックス本体１１の開口部１１ａを開放する際に、第１の部材１３ａと第２の部材１３ｂとを互いに逆向きに回動させる構造となっているので、昇降路Ｓ内のスペースが比較的小さい場合でも、蓋体１３を昇降路Ｓの壁部に干渉させることなく蛍光管照明器具１４の交換を行うことができる。
【００２６】
さらに、本実施形態のかご内照明装置１０によれば、蛍光管照明器具１４を内蔵する照明ボックス本体１１を乗りかご１の外側から設置し、蛍光管照明器具１４からの光を照光板１２を介して乗りかご１内部に導く構成となっているので、乗りかご１内部のスペースや意匠性に影響を与えることなく、乗りかご１内部を適切に照明することができる。
【００２７】
なお、以上説明したかご内照明装置１０は、本発明の一実施形態を例示的に説明したものであり、本発明の趣旨を逸脱しない範囲で様々な変形、変更、代替技術の転用などが可能である。
【００２８】
例えば、以上説明したかご内照明装置１０は、蓋体１３が照明ボックス本体１１に対して水平方向に回動する構造としているが、図６及び図７に示すように、蓋体１３を照明ボックス本体１１に対して垂直方向に回動する構造、つまり、下端側を支点として上端側を開閉する構造とすることも可能である。なお、図６は、このような構造のかご内照明装置１０の内部を側面側から透視して見た様子を示す模式図、図７は、同かご内照明装置１０の内部を鉛直方向に透視して見た様子を示す模式図であり、それぞれ（ａ）が蓋体１３を閉じた状態、（ｂ）が蓋体１３を垂直方向に回動させて蛍光管照明器具１４を引き出し可能とした状態を示している。
【００２９】
また、上述した例では、蛍光管照明器具１４を取り付け金具１７とともに照明ボックス１１の外部に完全に引き出して、蛍光管照明器具１４全体を交換するようにしているが、蛍光管照明器具１４の蛍光管１４ｂのみを交換する場合には、蛍光管照明器具１４を途中まで引き出すことで、蛍光管１４ｂの交換を行うことも可能である。この場合には、例えば図７に示すように、蛍光管照明器具１４の取り付け金具１７に立ち上がり片１７ａを設けておき、蛍光管照明器具１４を途中まで引き出した状態で、図８に示すように、この立ち上がり片１７ａを、例えば乗りかご１を保持するかご外枠２３などの構造物に取り付けた固定金具２４に固定するようにすれば、蛍光管１４ｂの交換作業を極めて簡便に行うことができる。
【図面の簡単な説明】
【００３０】
【図１】エレベータの昇降路内部を鉛直方向に透視して見た様子を示す模式図。
【図２】本発明を適用したかご内照明装置の内部を鉛直方向に透視して見た様子を示す模式図。
【図３】本発明を適用したかご内照明装置の光源となる蛍光管照明器具の取り付け構造を説明する図。
【図４】本発明を適用したかご内照明装置の上端側を拡大して示す側面図。
【図５】蛍光管照明器具を交換する作業が行われているときのかご内照明装置内部の様子を側面側から透視して示す模式図。
【図６】蓋体を照明ボックス本体に対して垂直方向に回動する構造としたかご内照明装置の内部を側面側から透視して見た様子を示す模式図。
【図７】蓋体を照明ボックス本体に対して垂直方向に回動する構造としたかご内照明装置の内部を鉛直方向に透視して見た様子を示す模式図。
【図８】蛍光管照明器具の取り付け金具に設けた立ち上がり片を、かご外枠に取り付けた固定金具に固定した状態を示す平面図。
【符号の説明】
【００３１】
１  乗りかご
１０  かご内照明装置
１１  照明ボックス本体
１１ａ  開口部
１２  照光板
１３  蓋体
１３ａ  第１の部材
１３ｂ  第２の部材
１４  蛍光管照明器具（光源）
１９  スライドレール
【図１】
2010064891.tif 000003
【図２】
2010064891.tif 000004
【図３】
2010064891.tif 000005
【図４】
2010064891.tif 000006
【図５】
2010064891.tif 000007
【図６】
2010064891.tif 000008
【図７】
2010064891.tif 000009
【図８】
2010064891.tif 000010